(57)【特許請求の範囲】
【請求項１】
制御局と前記制御局と通信可能な少なくとも１つの従属局とで構成される無線通信システムであって、前記制御局は、他の無線通信装置から送信されたＴＤＭＡ（時分割多重）方式の無線信号を受信し、前記受信した無線信号を元に前記従属局とのＴＤＭＡ方式の無線通信のための通信周波数を調整する無線通信システム。
【請求項２】
前記制御局は、
基準信号を発生する発振回路と、
前記発振手段の基準信号に基づいて無線通信用の高周波信号を生成し高周波信号を用いて無線信号を生成し無線信号の送受信を行なう無線部と、
前記発振手段の基準信号に基づいて時間を測定するフレーム処理部と、
前記発振手段で生成される基準信号の周波数を調整する発振周波数調整部と、
前記制御局全体の制御を行なう制御部とを備え、
前記制御局は、前記他の無線通信装置が送信する制御信号を受信し、前記フレーム処理部により受信した制御信号の受信間隔を計測し、受信間隔が予め決められた時間より長い場合は、基準信号の発振周波数を大きくし、受信した制御信号の受信間隔が予め決められた時間より短い場合は、基準信号の発振周波数を小さくするように制御する請求項１記載の無線通信システム。
【請求項３】
前記従属局は、前記他の無線通信装置が送信する無線信号、あるいは、前記制御局が送信する無線信号を受信し、受信した無線信号に基づいて、自らが送信する無線信号の周波数精度を前記他の無線通信装置、あるいは、前記制御局が送信する無線信号の周波数精度に合わせるように動作し、前記他の無線通信装置が送信する無線信号と前記制御局が送信する無線信号とを受信している状態では、前記他の無線通信装置送信する無線信号を基づいて、自らが送信する無線信号の周波数精度を他の無線通信装置が送信する無線信号の周波数精度に合わせる請求項１または２記載の無線通信システム。
【請求項４】
前記従属局は、
基準信号を発生する発振回路と、
前記発振手段の基準信号に基づいて無線通信用の高周波信号を生成し高周波信号を用いて無線信号を生成し無線信号の送受信を行なう無線部と、
前記発振手段の基準信号に基づいて時間を測定するフレーム処理部と、
前記発振手段で生成される基準信号の周波数を調整する発振周波数調整部と、
前記従属局全体の制御を行なう制御部とを備え、
前記従属局は、前記他の無線通信装置、あるいは、前記制御局が送信する制御信号を受信し、前記フレーム処理部により前記他の無線通信装置、あるいは、前記制御局から送信された無線信号の各々の受信間隔を計測し、受信間隔が予め決められた時間より長い場合は、基準信号の発振周波数を大きくし、受信した制御信号の受信間隔が予め決められた時間より短い場合は、基準信号の発振周波数を小さくするように制御する請求項１記載の無線通信システム。
【請求項５】
第１の制御局と前記第１の制御局と通信可能な第１の従属局と第２の制御局と前記第２の制御局と通信可能な第２の従属局からなる無線通信システムであって、
前記第２の制御局は、前記第１の制御局が送信する無線信号を受信し、前記受信した無線信号に基づいて、自らが送信する無線信号の周波数精度を前記第１の制御局が送信する無線信号の周波数精度に合わせるように動作し、前記第１の従属局は、前記第１の制御局が送信する無線信号を受信し、受信した無線信号に基づいて、自らが送信する無線信号の周波数精度を前記第１の制御局が送信する無線信号の周波数精度に合わせるように動作し、前記第２の従属局は、前記第２の制御局が送信する無線信号を受信し、受信した無線信号に基づいて、自らが送信する無線信号の周波数精度を前記第２の制御局が送信する無線信号の周波数精度に合わせるように動作する無線通信システム。
【請求項６】
前記第１の従属局と前記第２の従属局の少なくとも一方は、
基準信号を発生する発振回路と、
前記発振手段の基準信号を元に無線通信用の高周波信号を生成し高周波信号を用いて無線信号を生成し無線信号の送受信を行なう無線部と、
前記発振手段の基準信号を元に時間を測定するフレーム処理部と、
前記発振手段で生成される基準信号の周波数を調整する発振周波数調整部と、
前記従属局全体の制御を行なう制御部とを備え、
前記１の従属局と前記第２の従属局は、前記各々の属する制御局が送信する制御信号を受信し、前記フレーム処理部により前記各々の属する制御局から送信された無線信号の受信間隔を計測し、受信間隔が予め決められた時間より長い場合は、基準信号の発振周波数を大きくし、受信した制御信号の受信間隔が予め決められた時間より短い場合は、基準信号の発振周波数を小さくするように制御する請求項５記載の無線通信システム。
【請求項７】
制御局と前記制御局と通信可能な少なくとも１つの従属局とで構成される無線通信システムの通信周波数の調整方法であって、
前記制御局は、他の無線通信装置から送信されたＴＤＭＡ方式の無線信号を受信し、前記受信した無線信号に基づいて前記従属局とのＴＤＭＡ方式の無線通信のための通信周波数を調整する無線通信システムの通信周波数の調整方法。
【請求項８】
第１の制御局と第２の制御局と前記第１の制御局あるいは前記第２の制御局と通信可能な従属局からなる無線通信システムの通信周波数の調整方法であって、
前記第２の制御局は前記第１の制御局が送信するＴＤＭＡ方式の無線信号を受信し、前記受信した無線信号に基づいて、自らが送信する無線信号の周波数精度を前記第１の制御局が送信する無線信号の周波数精度に合わせるように通信周波数を調整する請求項７の無線通信システムの通信周波数の調整方法。
【請求項９】
前記第１の制御局は、第１の基準信号を元に、制御信号の無線信号を生成すると共に送信間隔を決定し、前記第２の制御局は、第２の基準信号を元に無線通信のための高周波信号を生成すると共に前記第１の制御局から送信された前記制御信号の受信間隔を計時し、前記受信間隔が予め決められた時間間隔になるよう前記第２の基準信号を調整することにより通信周波数を調整する請求項８記載の無線通信システムの通信周波数の調整方法。
【請求項１０】
第１の制御局と第２の制御局と前記第１の制御局あるいは前記第２の制御局と通信可能な従属局からなる無線通信システムの通信周波数の調整方法であって、
前記第２の制御局は前記第１の制御局が送信する無線信号を受信し、前記受信した無線信号に基づいて、通信周波数の調整を行い、前記従属局は、前記第１の制御局が送信する無線信号と前記第２の制御局が送信する無線信号の両方の無線信号を受信している場合には、前記第１の制御局が送信する無線信号に基づいて、通信周波数の調整し、前記第１の制御局と前記第２の制御局のいずれか一方の制御局が送信する無線信号のみを受信している場合には、受信している前記第１の制御局あるいは前記第２の制御局が送信する無線信号に基づいて、通信周波数の調整する請求項８あるいは９記載の無線通信システムの通信周波数の調整方法。
【請求項１１】
前記従属局は、１つの基準信号を元に無線通信のための高周波信号を生成すると共に前記第１の制御局から送信される無線信号の受信間隔、又は、前記第２の制御局から送信される無線信号の受信間隔を計測し、各々の受信間隔を元に前記基準信号を調整することにより通信周波数を調整する請求項１０記載の無線通信システムの通信周波数の調整方法。
【請求項１２】
第１の制御局と前記第１の制御局と通信可能な第１の従属局と第２の制御局と前記第２の制御局と通信可能な第２の従属局からなる無線通信システム通信周波数の調整方法であって、
前記第２の制御局は前記第１の制御局が送信する無線信号を受信し、前記受信した無線信号に基づいて、通信周波数の調整を行い、前記第１の従属局は、前記第１の制御局が送信する無線信号を受信し、受信した無線信号に基づいて、通信周波数の調整を行い、前記第２の従属局は、前記第２の制御局が送信する無線信号を受信し、受信した無線信号に基づいて、通信周波数の調整を行う無線通信システムの通信周波数の調整方法。
【請求項１３】
前記第１の従属局と前記第２の従属局の少なくとも一方の従属局は、前記各々の属する制御局が送信する制御信号を受信し、前記計時手段により前記各々の属する制御局から送信された無線信号の受信間隔を計測し、受信間隔に基づいて前記基準信号を調整することにより通信周波数を調整する請求項１２記載の無線通信システムの通信周波数の調整方法。
【発明の詳細な説明】
【技術分野】
【０００１】
本発明は、無線信号によって通信を行なう無線通信システム、および、無線通信システムの通信周波数の調整方法に関するものである。
【背景技術】
【０００２】
近年、コードレス電話、無線ドアホン等、無線通信を利用した通信装置が広く一般家庭に普及している。
【０００３】
これらの無線通信システムは、１つの制御局と１つ又は複数の従属局として動作する無線通信システムで構成されている。例えば、家庭用のコードレス電話は、制御局として動作する公衆網に接続されたコードレス電話親機と従属局として動作するコードレス電話子機とで構成され、コードレス電話子機は無線通信によってコードレス電話親機を介して公衆網との通話を行ない、又、無線通信を用いて親子機間や子機間の内線通話を行なう。又、無線ドアホンでは、玄関子機に接続された制御局として動作するドアホン親機と従属局として動作するドアホン子機とで構成され、ドアホン子機は無線通信によってドアホン親機を介して玄関子機との通信を行ない、玄関子機で呼出を行なった来客者に応答し、来客者との通話を行ない、又、無線通信を用いて親子機間や子機間の内線通話を行なう。
【０００４】
上述のように、家庭内においてコードレス電話や無線ドアホン等の無線通信システムが普及しているが、それぞれの無線通信システムの親機（制御局）はその親機のアプリケーションおよび無線通信方式に対応した子機（従属局）との通信しかできない。従って、例えば、コードレス電話と無線ドアホンの両方を家庭内に設置した場合、それぞれ専用の子機、即ち、コードレス電話子機とドアホン子機が必要であり、設備費が高価になり、又、利便性を損なっていた。
【０００５】
そこで、本課題の１つの解決方法は、異なるサービスを提供する無線通信システムで、同一の無線通信方式を用いることにより、従属局の無線通信用のハード、ソフトを共用した子機を提供することである。例えば、コードレス電話と無線ドアホンの無線区間の通信を共通のプロトコルで行なうことにより、制御局として動作するコードレス電話の親機とドアホン親機に無線接続可能な兼用の従属局として動作する無線通信システムを提供し、コードレス電話子機として動作するアプリケーションとドアホン子機として動作するアプリケーションを実装することによりコードレス電話親機と無線ドアホン親機の両方に接続可能な兼用子機を提供することが可能となる。
【０００６】
制御局と従属局で構成される無線通信システムでは、従属局は、制御局の制御信号を受信し、制御局からの呼出を待ち受ける動作が必要となる。上述の兼用子機では、コードレス電話親機と無線ドアホン親機の両方の制御信号を受信する必要がある。１つの従属局が、２つの制御局の制御信号を受信する技術は、例えば、パーソナルハンディホンシステム（以下、ＰＨＳと記す）においてすでに実用化されている。ＰＨＳでは、公衆網と自営網での利用を目的として、規格化されており、ＰＨＳ端末は、公衆端末としてＰＨＳ公衆網の基地局と無線通信が可能であり、又、自営端末として、家庭用のディジタルコードレス電話親機と無線通信が可能である。そして、ＰＨＳ端末は、ＰＨＳ公衆網の基地局と家庭用のディジタルコードレス電話親機が送信する制御信号を各送信側の送信タイミングに合わせてそれぞれの制御局（公衆基地局、又は、ディジタルコードレス電話親機）の制御信号の送信周波数に受信周波数を設定し、各々の制御局から送信される制御信号を受信することにより、ＰＨＳ公衆網の基地局と家庭用のディジタルコードレス電話親機の両方を同時に待ち受けることが可能である（例えば、特許文献１参照。）。
【特許文献１】特開平７−８７５５６号公報
【発明の開示】
【発明が解決しようとする課題】
【０００７】
複数の制御局（例えば、コードレス電話親機、無線ドアホン親機等）に接続可能な従属局（兼用子機）を実現する場合、各制御局と従属局（兼用子機）間の無線通信時の無線性能は、制御局とそれぞれの専用の従属局で通信を行なう場合の無線性能と同じレベルの性能を実現する必要がある。
【０００８】
無線性能劣化の原因の１つに、制御局と従属局の無線通信周波数のずれによる受信品質の劣化があり、無線通信システムでは、この受信品質の劣化を抑えるには、送信側と受信側の無線通信用の高周波発生回路で発生される高周波信号の周波数のずれを小さくしなければならない。制御局と従属局の無線通信は予め決められた周波数で行なわれ、制御局と従属局では、予め決められた通信周波数の高周波信号を生成するための高周波発生回路を具備している。コードレス電話や無線ドアホンのように複数の周波数の中の１つを選択して通信を行なう無線通信システムでは、複数の周波数を発生可能な高周波発生回路が必要であり、位相同期回路を用いた高周波発生回路を具備している。基本的な高周波信号発生用の位相同期回路は、入力された直流電圧に応じた周波数の高周波信号を発生させる電圧制御発振器、電圧制御発振器から出力された高周波信号を生成しようとする周波数に応じた値で分周する分周器、基準信号となるクロックを発生する基準信号発生器、基準信号発生器から出力されたクロックを予め決められた値で分周する分周器、それぞれの分周器出力の位相差に応じた信号を出力する位相比較器、位相比較器の出力を平滑化し電圧制御発振器の制御電圧を出力するフィルタで構成され、分周された基準信号発生器の出力周波数の整数倍の高周波信号が電圧制御発振器より生成されるよう動作する。従って、送信側と受信側の無線通信用の高周波発生回路で発生される高周波信号の周波数のずれを小さくするためには、基準信号発生器の出力周波数の差（ずれ）を小さくしなければならない。
【０００９】
従来のコードレス電話のように従属局（子機）は１つの制御局（コードレス電話親機）とのみ無線通信を行なう場合、両者の基準信号発生器は安価な水晶振動子を持いた発振回路で構成し、発振回路内の調整用のコンデンサの値を調整して従属局（子機）と制御局の基準信号発生器の発振周波数を一致させることにより、制御局と従属局の無線通信周波数のずれによる受信品質の劣化を抑えることが可能であった。
【００１０】
一方、ＰＨＳのように制御局（公衆基地局）と従属局（ＰＨＳ端末）が同時に調整できないような無線通信システムの場合、各々の基準信号発生器の発振周波数を同時に調整を行なわなくとも、両者の周波数のずれが小さくなるよう、各々の基準信号発生器は、公称周波数とのずれが小さく、発振周波数が安定した温度変化による周波数偏差が少ない温度補償回路付き水晶発振器が用いられており、非常に高価になっていた。コードレス電話親機と無線ドアホン親機の両方で使用可能な兼用子機を作る場合、コードレス電話親機と無線ドアホン親機と兼用子機においても、無線通信周波数のずれによる受信品質の劣化を抑えるために、ＰＨＳ等の無線通信システムで使用されている高価な基準信号発生器が必要である。従って、従属局が複数の制御局と通信を行なう無線通信システムでは、それぞれの通信周波数の誤差による無線通信品質の劣化を抑えるために、各々高価な基準信号発生器が必要となり、無線通信システムの価格が高くなるという問題点を有していた。
【００１１】
本発明は、上記課題を省みて、高価な基準信号発生器が不要で安価な無線通信システム、および、無線通信システムの通信周波数の調整方法を提供することを目的とする。
【課題を解決するための手段】
【００１２】
本発明は、制御局が他の無線通信システムが送信する無線信号を受信し、受信した無線信号を元に無線通信のための通信周波数を調整することを主要な特徴とする。
【発明の効果】
【００１３】
本発明の無線通信システムは、他の無線通信システムが送信する無線信号を受信し、受信した無線信号を元に無線通信のための通信周波数を調整することにより、高価な高周波発生用の基準信号発生器が不用となり、通信周波数のずれによる無線品質の劣化を抑えた低価格の無線通信システム、および、無線通信システムの通信周波数の調整方法を提供できるという利点がある。
【発明を実施するための最良の形態】
【００１４】
本発明は、低価格の回路構成で通信周波数の誤差による無線通信品質の劣化を抑えるという目的を、他の無線通信システムが送信する無線信号を受信し、受信した無線信号を元に無線通信のための通信周波数を調整することにより実現した。
【００１５】
本発明の実施の形態は、制御局と前記制御局と通信可能な少なくとも１つの従属局とで構成される無線通信システムであって、制御局は、他の無線通信システムから送信されたＴＤＭＡ（時分割多重）方式の無線信号を受信し、受信した無線信号を元に従属局とのＴＤＭＡ方式の無線通信のための通信周波数を調整するものである。
【００１６】
また、制御局は、基準信号を発生する発振回路と、発振手段の基準信号に基づいて無線通信用の高周波信号を生成し高周波信号を用いて無線信号を生成し無線信号の送受信を行なう無線部と、発振手段の基準信号に基づいて時間を測定するフレーム処理部と、発振手段で生成される基準信号の周波数を調整する発振周波数調整部と、制御局全体の制御を行なう制御部とを備え、制御局は、他の無線通信システムが送信する制御信号を受信し、フレーム処理部により受信した制御信号の受信間隔を計測し、受信間隔が予め決められた時間より長い場合は、基準信号の発振周波数を大きくし、受信した制御信号の受信間隔が予め決められた時間より短い場合は、基準信号の発振周波数を小さくするように制御するようにしたものである。
【００１７】
この構成によれば、制御局は、制御局が基準となる無線通信システムからの受信信号を元に従属局との通信用の高周波信号のずれを補正することにより、低価格の基準信号発生器もちいた回路構成で通信周波数のずれによる無線通信品質の劣化を抑えた無線通信システムを提供することができる。
【００１８】
また、本発明の別の実施の形態は、従属局は、他の無線通信システムが送信する無線信号、あるいは、制御局が送信する無線信号を受信し、受信した無線信号に基づいて、自らが送信する無線信号の周波数精度を他の無線通信システム、あるいは、制御局が送信する無線信号の周波数精度に合わせるように動作し、他の無線通信システムが送信する無線信号と制御局が送信する無線信号とを受信している状態では、他の無線通信システム送信する無線信号を基づいて、自らが送信する無線信号の周波数精度を他の無線通信システムが送信する無線信号の周波数精度に合わせるようにしたものである。
【００１９】
また、従属局は、基準信号を発生する発振回路と、発振手段の基準信号に基づいて無線通信用の高周波信号を生成し高周波信号を用いて無線信号を生成し無線信号の送受信を行なう無線部と、発振手段の基準信号に基づいて時間を測定するフレーム処理部と、発振手段で生成される基準信号の周波数を調整する発振周波数調整部と、従属局全体の制御を行なう制御部とを備え、従属局は、他の無線通信システム、あるいは、制御局が送信する制御信号を受信し、フレーム処理部により他の無線通信システム、あるいは、制御局から送信された無線信号の各々の受信間隔を計測し、受信間隔が予め決められた時間より長い場合は、基準信号の発振周波数を大きくし、受信した制御信号の受信間隔が予め決められた時間より短い場合は、基準信号の発振周波数を小さくするように制御するようにしたものである。
【００２０】
この構成によれば、低価格の基準信号発生器を用いた回路構成で通信周波数のずれによる無線通信品質の劣化を抑えた無線通信システムを提供することが可能となる利点を有する。
【００２１】
また、本発明の別の実施の形態は、第１の制御局と第１の制御局と通信可能な第１の従属局と第２の制御局と第２の制御局と通信可能な第２の従属局からなる無線通信システムであって、第２の制御局は、第１の制御局が送信する無線信号を受信し、受信した無線信号に基づいて、自らが送信する無線信号の周波数精度を第１の制御局が送信する無線信号の周波数精度に合わせるように動作し、第１の従属局は、第１の制御局が送信する無線信号を受信し、受信した無線信号に基づいて、自らが送信する無線信号の周波数精度を第１の制御局が送信する無線信号の周波数精度に合わせるように動作し、第２の従属局は、第２の制御局が送信する無線信号を受信し、受信した無線信号に基づいて、自らが送信する無線信号の周波数精度を第２の制御局が送信する無線信号の周波数精度に合わせるようにしたものである。
【００２２】
また、第１の従属局と第２の従属局の少なくとも一方は、基準信号を発生する発振回路と、発振手段の基準信号を元に無線通信用の高周波信号を生成し高周波信号を用いて無線信号を生成し無線信号の送受信を行なう無線部と、発振手段の基準信号を元に時間を測定するフレーム処理部と、発振手段で生成される基準信号の周波数を調整する発振周波数調整部と、従属局全体の制御を行なう制御部とを備え、第１の従属局と第２の従属局は、各々の属する制御局が送信する制御信号を受信し、フレーム処理部により各々の属する制御局から送信された無線信号の受信間隔を計測し、受信間隔が予め決められた時間より長い場合は、基準信号の発振周波数を大きくし、受信した制御信号の受信間隔が予め決められた時間より短い場合は、基準信号の発振周波数を小さくするように制御するようにしたものである。
【００２３】
この構成により、従属局が第１の制御局と第２の制御局の両方の送信信号を受信している場合、第１の制御局の受信をもとに無線信号の周波数を合わせるように動作するので、第１の制御局の受信信号を元に無線信号の周波数を合わせを行なっている途中の第２の制御局、即ち、第１の制御局との周波数のずれが大きい制御局からの受信信号で無線信号の周波数の補正を行なうことがなく、第２の制御局の影響で周波数のずれが発生する危険がなく、周波数のずれによる通信品質の劣化を低減することが可能となる利点を有する。
【００２４】
また、従属局がいずれか一方の制御局の受信しかできない状態では、受信可能な制御局の受信信号を元に無線信号の周波数を合わせるように動作するので、いずれか一方の制御局の受信しかできない状態でも受信中の制御局との通信において周波数のずれによる通信品質の劣化を低減することが可能となる利点を有する。
【００２５】
また、従属局は、１つの基準信号を元に無線通信用の高周波の生成を行うと共に第１の制御局又は、第２の制御局が送信する制御信号を受信し、受信した制御信号の受信間隔を元に、基準信号の発振周波数を調整し、基準信号を用いて無線通信用の高周波信号を生成し、従属局と第１の制御局、又は、第２の制御局の無線通信の周波数のずれを小さくすることにより、第１の制御局、又は、第２の制御局と従属局の高周波信号のずれを小さくでき、低価格の基準信号発生器もちいた回路構成で制御局と従属局間の高周波信号のずれによる無線通信品質の劣化を抑えた無線通信システムを提供することが可能となる利点を有する。
【００２６】
また、第２の制御局は、第１の制御局が送信する制御信号を受信し、受信した制御信号を元に、基準信号の発振周波数を調整し、基準信号を用いて無線通信用の高周波信号を生成し、第１の従属局と第２の従属局は、各々が属する制御局が送信する制御信号を受信し、受信した制御信号を元に、基準信号の発振周波数を調整し、基準信号を用いて無線通信用の高周波信号を生成し、制御局と制御局と通信可能な従属局の無線通信の周波数のずれを小さくすることにより、低価格の基準信号発生器もちいた回路構成で制御局と従属局間の高周波信号のずれによる無線通信品質の劣化を抑えた無線通信システムを提供することが可能となる利点を有する。
【００２７】
また、第２の制御局は、第１の制御局が送信する制御信号を受信し、受信した制御信号の受信間隔を元に、基準信号の発振周波数を調整し、基準信号を用いて無線通信用の高周波信号を生成し、第１の従属局と第２の従属局は、各々が属する制御局が送信する制御信号を受信し、受信した制御信号の受信間隔を元に、基準信号の発振周波数を調整し、基準信号を用いて無線通信用の高周波信号を生成し、制御局と制御局と通信可能な従属局の無線通信の周波数のずれを小さくすることにより、低価格の基準信号発生器もちいた回路構成で制御局と従属局間の高周波信号のずれによる無線通信品質の劣化を抑えた無線通信システムを提供することが可能となる利点を有する。
【実施例】
【００２８】
（実施の形態１）
以下、本発明の実施の形態について、各図に基づいて説明する。
【００２９】
図１は、本発明のドアホン親機のブロック図である。
【００３０】
図２は、本発明のコードレス電話親機のブロック図である。
【００３１】
図３は、本発明の兼用子機のブロック図である。
【００３２】
図１において、１００は第２の制御局として動作する無線ドアホン親機本体であり、１９０は、無線ドアホン親機本体１００に接続された玄関子機である。無線ドアホン親機本体１００において、１０１は、無線信号の入出力を行なうアンテナ、１１０は、無線部の一部で有り制御信号や音声信号等の送信信号を無線信号に変換し出力する送信部、１２０は、無線部の一部で有り無線信号を受信し復調する受信部、１３０は、無線部の一部で有り無線通信の為の高周波信号を生成するシンセ部、１４０は発振手段でありシンセ部１３０で高周波信号を生成するために使用する基準信号を生成する発振回路、１５０は、発振周波数調整手段であり発振回路で生成される基準信号の発振周波数を調整するための発振周波数調整部、１６０は、発振回路１４０で生成された基準信号を分周して受信処理のためのビットクロックを生成する分周器、１７０は、計時手段であり、フレーム、スロットのタイミングを管理しながら、送信データにビット同期用のプリアンブル、フレーム同期用のシンクワード、エラー検知用のＣＲＣを付加して出力し、又、復調出力からフレーム同期用のシンクワードを検出し、受信データ、エラー検知用のＣＲＣを分離し受信エラーの有無を判定し、正しく受信した受信データを出力するフレーム処理部、１８０は、玄関子機１９０から送信された画像信号をデジタルの画像データに変換する画像処理部、１８１は、玄関子機１９０から送信された音声信号をデジタルの音声データに変換し、又、無線信号で受信し復調された音声データをアナログの音声信号に変換する音声処理部、１８２は、玄関子機１９０から送信された信号から、画像信号、音声信号、制御信号を分離すると共に、玄関子機に音声信号を出力する玄関子機インターフェース、１８９は、制御手段であり無線ドアホン親機本体１００の全体を制御する制御部である。又、玄関子機１９０において、１９１は玄関子機１９０から送信する画像信号、音声信号、制御信号を多重化し出力すると共に無線ドアホン親機本体１００からの音声信号を入力するためのドアホン親機インターフェース、１９２は画像を撮影し、画像信号を生成するカメラ部、１９３は、音声信号を入力するマイク、１９４は、音声信号を出力するスピーカー、１９５は、来客通知を行なうための操作部である。
【００３３】
図２において、２００は第１の制御局として動作するコードレス電話親機であり、２０１は、無線信号の入出力を行なうアンテナ、２１０は、無線部の一部で有り制御信号や音声信号等の送信信号を無線信号に変換し出力する送信部、２２０は、無線部の一部で有り無線信号を受信し復調する受信部、２３０は、無線部の一部で有り無線通信の為の高周波信号を生成するシンセ部、２４０は、発振手段でありシンセ部２３０で高周波信号を生成するために使用する基準信号を生成する発振回路、２６０は、発振回路２４０で生成された基準信号を分周して受信処理のためのビットクロックを生成する分周器、２７０は、時分割多重制御手段でありフレーム、スロットのタイミングを管理しながら、送信データにビット同期用のプリアンブル、フレーム同期用のシンクワード、エラー検知用のＣＲＣを付加して出力し、又、復調出力からフレーム同期用のシンクワードを検出し、受信データ、エラー検知用のＣＲＣを分離し受信エラーの有無を判定し、正しく受信した受信データを出力するフレーム処理部、２８１は、電話回線側から入力された音声信号をデジタルの音声データに変換し、又、無線信号で受信し復調された音声データをアナログの音声信号に変換する音声処理部、２８２は、電話回線と音声信号を入出力するための電話回線インターフェース、２８９は、制御手段でありコードレス電話親機２００の全体を制御する制御部である。
【００３４】
図３において、３００は無線ドアホン親機本体１００とコードレス電話親機２００と通信可能な従属局として動作する兼用子機であり、３０１は、無線信号の入出力を行なうアンテナ、３１０は、無線部の一部である制御信号や音声信号等の送信信号を無線信号に変換し出力する送信部、３２０は、無線部の一部である無線信号を受信し復調する受信部、３３０は、無線部の一部である無線通信の為の高周波信号を生成するシンセ部、３４０は発振手段でありシンセ部３３０で高周波信号を生成するために使用する基準信号を生成する発振回路、３５０は、発振周波数調整手段であり発振回路で生成される基準信号の発振周波数を調整するための発振周波数調整部、３６０は、発振回路３４０で生成された基準信号を分周して受信処理のためのビットクロックを生成する分周器、３７０は、計時手段でありフレーム、スロットのタイミングを管理しながら、送信データにビット同期用のプリアンブル、フレーム同期用のシンクワード、エラー検知用のＣＲＣを付加して出力し、又、復調出力からフレーム同期用のシンクワードを検出し、受信データ、エラー検知用のＣＲＣを分離し受信エラーの有無を判定し、正しく受信した受信データを出力するフレーム処理部、３８０は、無線ドアホン親機本体１００から送信された画像データを表示するための処理を行なう画像処理部、３８１は、送信用の音声信号をデジタルの音声データに変換し、又、無線信号で受信し復調された音声データをアナログの音声信号に変換する音声処理部、３８２は、無線ドアホン親機本体１００から受信した画像や電話番号等を表示する表示部、３８３は、音声信号を入力するマイク、３８４は、音声信号を出力するスピーカー、３８５は、応答操作、発信、電話番号の入力等を行なう操作部、３８９は、制御手段であり兼用子機３００の全体を制御する制御部である。
【００３５】
又、図４は、本発明の時分割多重のフレームスロットの説明図であり、１つのフレームを８つのスロットに分割して時分割多重通信を行なう場合の、フレーム、スロット構成と、各スロットで送受信されるデータ列の構成例を示している。又、各スロットのデータ列は、無線信号の立ち上がりのためのランプビット（図４ではＲ１と記す）、ビット同期のための１、０のデータの繰り返しで構成されるプリアンブル、フレーム同期のための特定パターンのデータ列で構成されるシンクワード、制御データ、音声データ、画像データを送信する送信データ、エラー検出用のＣＲＣ、無線信号の立ち下がりのためのランプビット（図４ではＲ２と記す）、各スロット間の通信信号が伝播遅延の影響で重なり合うのを防ぐための送信禁止期間であるガードで構成され、それぞれ、決まったビット長が割り当てられる。
【００３６】
次に、各図を用いて動作について説明を行なう。
【００３７】
先ず。コードレス電話親機２００の動作を説明する。
無線ドアホン親機本体１００、コードレス電話親機２００は、制御局として動作し、フレーム内の特定のスロットで自局の識別ＩＤ等を含んだフレーム、スロット同期用の信号の制御信号の送信を行ない、従属局として動作する兼用子機３００は、無線ドアホン親機本体１００およびコードレス電話親機２００の制御信号のタイミングに合わせて受信を行ない、制御局との時分割多重のフレーム、スロットの同期を行なうと同時に、無線ドアホン親機本体１００からの来客通知、コードレス電話の外線着信通知等の制御局からの呼出に備えている。
【００３８】
上記制御信号を送信するため、コードレス電話親機２００では、先ず、時分割多重のためのフレーム、スロットタイミングが決定される。即ち、発振回路２４０で生成された基準信号を分周器２６０で分周し、１ビットのデータを送信する時間に等しいビットクロックを生成し、ビットクロックを元にフレーム処理部２７０にて時分割多重のためのフレーム、スロットのタイミングを生成し、制御部２８９にフレーム、スロットのタイミングを通知する。そして、制御部２８９は、スロットの１つを制御信号の送信用のスロットとして選択し、選択した制御信号の送信スロットのタイミングに合わせて、シンセ部２３０を制御信号送信用の送信周波数を生成するよう設定し、送信部２１０を起動し、フレーム処理部２７０に制御信号の送信データである自局の識別ＩＤ等を出力する。フレーム処理部２７０では、送信データに、プリアンブル、シンクワード、ＣＲＣを付加した送信データ列をシンセ部２３０に出力する。シンセ部２３０では、発振回路２４０で生成される基準信号を元に、制御部２８９より通知された制御信号送信用の送信周波数を中心周波数とするフレーム処理部２７０から入力された送信データ列（変調信号）に応じて周波数変調された高周波信号を生成し、送信部２１０にて、規定の出力に増幅し、アンテナ２０１より制御信号の送信を行なう。
【００３９】
次に、コードレス電話親機２００の待ち受け動作について説明を行なう。制御局として動作するコードレス電話親機２００は、上述のようにして制御信号を送信すると共に、従属局である兼用子機３００から送信されるの通信要求を受信するため、制御信号を送信するスロットと予め決められた位置間系にあるスロットで受信を行なう。即ち、制御部２８９は、フレーム処理部２７０から通知されるフレーム、スロットのタイミングを元に、制御信号を送信してるスロットと予め決められた位置間系にあるスロット（以下、待ち受けスロットと記す）で受信を行なうよう、シンセ部２３０を従属局（兼用子機３００）からの通信要求を受信するための高周波信号を生成するよう設定し、受信部２２０を起動する。シンセ部２３０では設定された周波数の高周波信号を発振回路２４０から入力される基準信号元に生成するよう動作を行ない、受信部２２０では、シンセ部２３０より入力された高周波信号を用いて受信復調を行なうよう動作を開始する。そして、この待ち受けスロットにおいてアンテナ３０１より無線信号が入力され、受信部３２０に入力されると、受信した無線信号が、復調され、復調データ列がフレーム処理部３７０に出力される。フレーム処理部３７０は復調データ列より、シンクワードを検出し、受信データおよびＣＲＣを分離し、正常受信か否かを判定し、正常受信の場合は、受信データ（図４の送信データの部分）を制御部３８９に出力する。制御部３８９は、受信データを解析し、兼用子機３００からの通信要求であった場合は、兼用子機との双方向の通信を開始するよう制御を開始する。
【００４０】
次に、コードレス電話親機２００と従属局（兼用子機３００）との通信状態への以降について説明を行なう。兼用子機３００で外線からの着信に応答する場合、或いは、外線への発信するの場合、兼用子機３００は、音声通信のための双方向の無線リンクを確立するため上述したコードレス電話親機２００の待ち受けスロットで通信要求を送信する。兼用子機３００からの通信要求を受信すると、コードレス電話親機２００の制御部２８９は、双方向の通信用のスロットおよび通信周波数を選択し、制御信号を送信しているスロットで選択したスロットおよび通信周波数を兼用子機３００に通知すると共に、フレーム処理部２７０から通知されるフレーム、スロットのタイミングを元に、選択した通信用のスロットのタイミング合わせて、シンセ部２３０、送信部２１０、受信部２２０を起動する。シンセ部２３０では、発振回路２４０で生成される基準信号を元に、送信用の変調波の生成、受信用の高周波信号の生成を行ない、兼用子機との双方向の音声通話用の無線通信を行なう。そして、兼用子機から受信し復調された音声データは、フレーム処理部２７０でシンクワードを元に音声データ部分のみが分離され、音声処理部２８１に出力され、音声処理部２８１でアナログの音声信号に変換されて電話回線インターフェース２８２を介して電話回線に出力される。また、電話回線インターフェース２８２を介して電話回線より入力された音声信号は、音声処理部２８１にてデジタル信号の音声データに変換し、フレーム処理部２７０でプリアンブル、シンクワード、ＣＲＣ等を付加し、双方向の通信スロットの送信スロットのタイミング合わせて、シンセ部２３０に出力し、音声データを送信するスロットの変調波を生成し、送信部２１０で規定出力に増幅し、送信される。
【００４１】
尚、シンセ部２３０が発振回路２４０で生成された基準信号を元に、送受信用の高周波信号を生成する動作については、後述する無線ドアホン親機本体１００のシンセ部１３０が発振回路１４０で生成された基準信号を元に送受信用の高周波信号を生成する動作と同様であり、ここでは、説明を省略する。
【００４２】
次に、無線ドアホン親機本体１００の動作を説明する。
【００４３】
先ず、無線ドアホン親機本体１００の制御信号の送信の動作について説明を行なう。無線ドアホン親機本体１００は、制御信号の送信を行なう際、公称周波数と実際の通信周波数の誤差が、コードレス電話親機２００と同じになるようコードレス電話親機２００より送信される制御信号を受信し、無線通信用の高周波を生成するための基準信号の周波数を調整する。コードレス電話親機２００の制御信号を受信するため、制御部１８９は、シンセ部１３０をコードレス電話親機の制御信号を受信するための高周波信号を生成するよう設定し、受信部１２０を連続受信状態にする。コードレス電話親機２００の制御信号がアンテナ１０１より、受信部１２０に入力されると、受信した無線信号が、復調され、復調データ列がフレーム処理部１７０に出力される。フレーム処理部１７０は復調データ列より、シンクワードを検出し、受信データおよびＣＲＣを分離し、正常受信か否かを判定し、正常受信の場合は、受信データ（図４の送信データの部分）を制御部１８９に出力する。制御部１８９は、受信データに含まれる送信局の識別ＩＤを元に、受信データが周波数の同期を行なうコードレス電話親機から送信された制御信号かを判定し、周波数の同期を行なうコードレス電話親機から送信された制御信号であった場合、受信した制御信号のタイミングに合わせて、受信を行なうよう制御を切り替える。
【００４４】
次に、無線ドアホン親機本体１００が、コードレス電話親機２００の制御信号の送信タイミングに合わせて、受信を行なう時の動作について説明を行なう。無線ドアホン親機本体１００は、発振回路１４０で生成された基準信号を元に計時される時間で、連続受信で受信されたコードレス電話親機２００の制御信号の受信タイミングを元に、次のコードレス電話親機２００の制御信号の送信タイミングを求め、以後、コードレス電話親機２００の制御信号の送信タイミング毎に受信を行なうよう制御を行なう。即ち、発振回路１４０で生成された基準信号を分周器１６０で分周し、１ビットのデータを受信する時間に等しいビットクロックを生成し、フレーム処理部１７０にて、発振回路１４０で生成されたビットクロックを用いて、前回受信したコードレス電話親機２００の制御信号のシンクワードの受信タイミングからの経過時間を測定し、制御信号の受信の準備タイミングの到来を制御部１８９に通知し、制御部１８９では、フレーム処理部１７０から通知されるコードレス電話親機２００の制御信号の受信の準備タイミングの到来のタイミングを元に、コードレス電話親機２００の制御信号の送信スロットのタイミングに合わせて該当スロットの受信を行なうため、シンセ部１３０をコードレス電話親機２００の制御信号を受信するための高周波信号を生成するように設定し、受信部１２０を起動する。そして、受信部１２０にてコードレス電話親機２００の制御信号が受信され、復調データが、フレーム処理部１７０に出力される。フレーム処理部１７０では、受信部１２０から出力される復調データを、分周器１６０から出力されるビットクロックに同期して１ビットづつ読み込み、復調データからシンクワードに一致するデータ列を探し、シンクワードを検出すると、前回受信したシンクワードからの経過時間（ビット数、即ち、分周器１６０から出力されるビットクロックのクロック数）が、コードレス電話親機２００のフレーム周期（１フレームの総ビット数）と同じか、長い（多い）か、短い（少ない）かの受信周期のずれを制御部１８９に通知し、新たに受信したシンクワードの受信タイミングを元に次のコードレス電話親機２００の制御信号の受信の準備タイミングの到来の計時を開始する。一方、制御部１８９は、フレーム処理部１７０より受信周期のずれが通知されると、フレーム処理部１７０で計時されたコードレス電話親機２００の制御信号のシンクワードの検出周期が、コードレス電話親機２００の規定のフレーム周期（１フレームの総ビット数）より長かった（多かった）場合、発振回路１４０で生成される基準信号の周波数を小さくするよう発振周波数調整部１５０を制御し、短かった（少なかった）場合、発振回路１４０で生成される基準信号の周波数を大きくするよう発振周波数調整部１５０を制御する。
【００４５】
次に図５を用いて、無線ドアホン親機本体１００の、シンセ部１３０、発振回路１４０、発振周波数調整部１５０の動作について説明する。図５は、本発明の発振周波数調整部のブロック図である。
【００４６】
図５において、シンセ部１３０の、１３１は、制御端子（図５ではＣＮＴと記す）に印加された制御電圧、および、変調端子（図５ではＭＯＤと記す）から入力された変調信号に応じて、制御電圧に応じた発振周波数の無変調の高周波信号、又は、制御電圧に応じた中心周波数で変調信号に応じて周波数変調された高周波信号を出力する電圧制御発振器、１３２は、電圧制御発振器１３０の高周波信号を制御部１８９から設定された値に応じて分周する可変分周器、１３３は、発振回路１４０から出力される基準信号を予め決められた値で分周する固定分周器、１３４は、可変分周器１３２と固定分周器１３３の分周出力の位相差に応じた位相差信号を出力する位相比較器、１３５は、位相差信号を平滑すると共に、シンセ部１３０の応答速度を決めるローパスフィルタ、ラグリードフィルタで構成されるループフィルタであり、又、発振回路１４０の、１４１は、発振用の水晶振動子、１４２は、発振用のアンプ、１４３および１４４は、発振用のコンデンサ、１４５は、出力用のバッファアンプであり、又、発振周波数調整部１５０の、１５１、１５２および１５３は、発振周波数調整用のコンデンサ、１５５、１５６および１５７は、制御部からの切替え信号に応じて発振周波数調整用のコンデンサ１５１、１５２および１５３を発振回路１４０のコンデンサ１４４に並列接続するか否かを切り替えるスイッチである。
【００４７】
次に、以上のように構成されたシンセ部１３０、発振回路１４０、発振周波数調整部１５０の動作について説明を行なう。
【００４８】
先ず最初に、シンセ部１３０の動作について説明を行なう。尚、本説明は、電圧制御発振器１３１の制御端子に印加する電圧を高くするに従い、電圧制御発振器１３１で生成される高周波信号の発振周波数が大きくなる特性を持つ電圧制御発振器を用いた場合の動作例について説明を行なう。電圧制御発振器１３１は、制御端子に入力された電圧に応じて周波数の高周波信号を発生する。電圧制御発振器１３１にて生成された高周波信号は、無線通信用の高周波信号として送信部、受信部に出力されると共に、可変分周器１３２に出力され、可変分周器にて制御部１８９より設定された無線通信の通信周波数に応じた分周数で分周され位相比較器１３４に入力される。一方、基準信号を発生する発振回路１４０から入力された基準信号が、固定分周器１３３にて予め決められた値で分周され、位相比較器１３４に入力される。位相比較器１３４は、可変分周器１３２から入力された信号と固定分周器１３３から入力された信号を比較し、両者の位相差に応じて、可変分周器１３２から入力された信号の位相が進んでいる場合は、電圧制御発振器１３１で生成される高周波信号の発振周波数を小さくするよう可変分周器１３２から入力された信号の立ち上がりのエッジから固定分周器１３３から入力された信号の立ち上がりのエッジまでの区間、Ｌｏｗレベルの電圧を出力し、可変分周器１３２から入力された信号の位相が遅れている場合は、電圧制御発振器１３１で生成される高周波信号の発振周波数を大きくするよう固定分周器１３３から入力された信号の立ち上がりのエッジから可変固定分周器１３２から入力された信号の立ち上がりのエッジまでの区間、Ｈｉｇｈレベルの電圧を出力し、又、それ以外の区間で出力がハイインピーダンスになるよう動作する。そして、位相比較器１３４から出力された信号は、ループフィルタ１３５にて平滑化されて、電圧制御発振器１３１の制御端子に入力される。例えば、電圧制御発振器１３１の制御端子に入力される最初の電圧がＶｃであった場合、位相比較器１３４よりＬｏｗレベルのパルスが出力されると、ループフィルタ１３５内のコンデンサにチャージされていた電荷が放電され、出力電圧はＶｃより低くなり、電圧制御発振器１３１で生成される高周波信号の発振周波数が小さくなり、位相比較器１３４よりＨｉｇｈレベルのパルスが出力されると、ループフィルタ１３５内のコンデンサに電荷がチャージされ出力電圧はＶｃより高くなり、電圧制御発振器１３１で生成される高周波信号の発振周波数が大きくなり、位相比較器１３４の出力がハイインピーダンスとなっている状態では、ループフィルタ１３５内のコンデンサに電荷が保持され、出力電圧はＶｃのまま保持され、電圧制御発振器１３１で生成される高周波信号の発振周波数も維持される。従って、可変分周器１３２と固定分周器１３３の出力の位相が一致した状態では、固定分周器１３３に入力される基準信号の周波数をｆｓ、固定分周器の分周数をＮ、可変分周器１３２の分周数をＭとすると、電圧制御発振器１３１の発振周波数をｆｃは、
ｆｃ＝ｆｓ×Ｍ／Ｎ
となり、基準信号の発振周波数のＭ／Ｎ倍の周波数となる。
【００４９】
次に、発振回路１４０、および、発振周波数調整回路１５０の動作について説明を行なう。発振回路１４０は、アンプ１４２の負性抵抗、水晶発振子１４１のインダクタンス性と各コンデンサの容量性を用いて発振信号を生成し、その発振周波数は、水晶発振子１４１のインダクタンス成分および容量成分、コンデンサ１４３，１４４，１５１，１５２，１５３の容量成分を主要因として決定される（コンデンサの漏れ電流や、アンプの寄生容量等はここでは無視する）。従って、スイッチ１５５、１５６、１５７を開閉することにより、コンデンサ１４３、１４４、１５１、１５２、１５３の合成容量成分を変えることにより、発振周波数を変えることができる。尚、コンデンサ１５１、１５２、１５３の各容量値は同じである必要はなく、例えば、各コンデンサの容量をコンデンサ１５１＝１ｐ、コンデンサ１５１＝２ｐ、コンデンサ１５１＝４ｐとすることにより、スイッチ１５５、１５６、１５７の開閉の組み合わせで、発振周波数調整回路１５０の合成容量を０ｐ、１ｐ、２ｐ…７ｐと８段階に調整することが可能となり、又、発振回路１４０で生成される基準信号の発振周波数の刻みを小さくしたい場合や、調整幅を大きくしたい場合は、発振周波数調整部１５０のコンデンサおよびスイッチの数を多くすることにより希望する基準信号の発振周波数の刻みや調整幅を得ることが可能となる。又、スイッチ１５５、１５６、１５７の開閉は、制御部１８９により制御され、制御部１８９は、フレーム処理部１７０で計時されたコードレス電話親機２００の制御信号のシンクワードの検出周期が、コードレス電話親機２００の規定のフレーム周期（１フレームの総ビット数）より長かった（多かった）場合、発振回路１４０で生成される基準信号の周波数を小さくするよう発振周波数調整部１５０のスイッチ１５５、１５６、１５７を現在の開閉状態から合成容量が大きくなるよう切替え、短かった（少なかった）場合、発振回路１４０で生成される基準信号の周波数を大きくするよう発振周波数調整部１５０のスイッチ１５５、１５６、１５７を現在の開閉状態から合成容量が大きくなるよう切替える。
【００５０】
次に、無線ドアホン親機本体１００の制御信号の送信の動作について説明を行なう。無線ドアホン親機本体１００は、制御局として動作し、コードレス電話親機２００からの制御信号を受信をしていない区間で識別ＩＤ等を含んだフレーム、スロット同期のための制御信号の送信を行なう。即ち、無線ドアホン親機本体１００は、連続受信にてコードレス電話親機２００の制御信号を補足し、コードレス電話親機２００の制御信号の送信タイミングに合わせて受信を行なうよう動作を切替えた後、コードレス電話親機２００の制御信号の受信に続き、制御信号の送信を行なうよう動作させるため、制御部１８９は、コードレス電話親機２００の制御信号の送信タイミングに合わせて受信を行なうよう動作を切替えた後、フレーム処理部１７０を時分割送受信モードに切り替えるよう制御を行なう。フレーム処理部１７０は、コードレス電話親機２００の制御信号の受信区間に自局の制御信号の送信区間が重ならないよう自局の時分割多重通信のフレーム、スロットのタイミングを決定し、制御部１８９に自局の制御信号の送信準備のタイミング到来を通知する。制御部１８９は、制御信号の送信準備のタイミング到来が通知されると、シンセ部１３０を制御信号送信用の送信周波数を生成するよう設定し、送信部１１０を起動し、フレーム処理部１７０に制御信号の送信データである自局の識別ＩＤ等を出力する。フレーム処理部１７０では、送信データに、プリアンブル、シンクワード、ＣＲＣを付加した送信データ列をシンセ部１３０に出力する。シンセ部１３０では、発振回路１４０で生成される基準信号を元に、制御部１８９より通知された制御信号送信用の送信周波数を中心周波数とするフレーム処理部１７０から入力された送信データ列（変調信号）に応じて周波数変調された高周波信号を生成し、送信部１１０にて、規定の出力に増幅し、アンテナ１０１より制御信号の送信を行なう。
【００５１】
次に、ドアホンでの来客通知の動作ついて説明を行なう。玄関子機１９０の操作部で呼出釦が押されると、カメラ部１９２は画像の撮影を開始し、カメラ部１９２より出力された画像信号と呼出釦が押されことを通知する呼出釦通知信号がドアホン親機インターフェース１９１にて重畳され、無線ドアホン親機本体１００に出力される。玄関子機インターフェース１８２は、入力された画像信号と呼出釦が押されことを通知する呼出釦通知信号を分離し、画像信号を画像処理部１８０に、呼出釦通知信号を制御部１８９に出力する。画像処理部では、画像信号をデジタルの画像データに変換し、フレーム処理部１７０に出力する。一方、呼出釦通知信号を検知した制御部１８９は、制御信号を送信していたスロットで、来客を通知する着信報知と画像信号を送信するよう制御を行なう。即ち、制御部１８９は、制御信号の送信準備のタイミング到来が通知されると、シンセ部１３０を制御信号送信用の送信周波数を生成するよう設定し、送信部１１０を起動し、フレーム処理部１７０に来客を通知する着信報知の制御信号を出力する。フレーム処理部１７０では、制御部１８９からの着信報知の制御信号と画像処理部１８０からの画像データを送信データとして、送信データに、プリアンブル、シンクワード、ＣＲＣを付加した送信データ列をシンセ部１３０に出力する。シンセ部１３０では、発振回路１４０で生成される基準信号を元に、制御部１８９より通知された制御信号送信用の送信周波数を中心周波数とするフレーム処理部１７０から入力された送信データ列（変調信号）に応じて周波数変調された高周波信号を生成し、送信部１１０にて、規定の出力に増幅し、アンテナ１０１より着信報知の制御信号と画像データの送信を行なう。
【００５２】
次に、無線ドアホン親機本体１００の待ち受け動作について説明を行なう。制御局として動作する無線ドアホン親機本体１００は、上述のようにして制御信号を送信すると共に、従属局である兼用子機３００から送信されるの通信要求を受信するため、制御信号を送信するスロットと予め決められた位置間系にあるスロットで受信を行なう。即ち、時分割送受信モードに切り替えられたフレーム処理部１７０は、自局の時分割多重通信のフレーム、スロットのタイミングを制御部１８９に通知し、制御部１８９は、フレーム処理部１７０から通知されるフレーム、スロットのタイミングを元に、制御信号を送信してるスロットと予め決められた位置間系にあるスロット（以下、待ち受けスロットと記す）で受信を行なうよう、シンセ部１３０を従属局（兼用子機３００）からの通信要求を受信するための高周波信号を生成するよう設定し、受信部１２０を起動する。シンセ部１３０では設定された周波数の高周波信号を発振回路１４０から入力される基準信号元に生成するよう動作を行ない、受信部１２０では、シンセ部１３０より入力された高周波信号を用いて受信復調を行なうよう動作を開始する。そして、この待ち受けスロットにおいてアンテナ１０１より無線信号が入力され、受信部１２０に入力されると、受信した無線信号が、復調され、復調データ列がフレーム処理部１７０に出力される。フレーム処理部１７０は復調データ列より、シンクワードを検出し、受信データおよびＣＲＣを分離し、正常受信か否かを判定し、正常受信の場合は、受信データ（図４の送信データの部分）を制御部１８９に出力する。制御部１８９は、受信データを解析し、兼用子機３００からの通信要求であった場合は、兼用子機との双方向の通信を開始するよう制御を開始する。
【００５３】
次に、無線ドアホン親機本体１００と従属局（兼用子機３００）との通信状態への以降について説明を行なう。兼用子機３００で玄関子機１９０からの来客通知に応答する場合、兼用子機３００は、音声通信のための双方向の無線リンクを確立するため上述した無線ドアホン親機本体１００の待ち受けスロットで通信要求を送信する。兼用子機３００からの通信要求を受信すると、無線ドアホン親機本体１００の制御部１８９は、双方向の通信用のスロットおよび通信周波数を選択し、制御信号を送信しているスロットで選択したスロットおよび通信周波数を兼用子機３００に通知すると共に、フレーム処理部１７０から通知されるフレーム、スロットのタイミングを元に、選択した通信用のスロットのタイミング合わせて、シンセ部１３０、送信部１１０、受信部１２０を起動する。シンセ部１３０では、発振回路１４０で生成される基準信号を元に、送信用の変調波の生成、受信用の高周波信号の生成を行ない、兼用子機との双方向の音声通話用の無線通信を行なう。そして、兼用子機から受信し復調された音声データは、フレーム処理部１７０でシンクワードを元に音声データ部分のみが分離され、音声処理部１８１に出力され、音声処理部１８１でアナログの音声信号に変換されて玄関子機インターフェース１８２を介して玄関子機１９０に出力され、玄関子機１９０では、ドアホン親機インターフェース１９１より入力された音声信号がスピーカー１９４より出力される。また、マイク１９３より入力された音声は、ドアホン親機インターフェース１９１を介して無線ドアホン親機本体１００に出力され、無線ドアホン親機本体１００において、玄関子機インターフェース１８２より入力された音声信号は、音声処理部１８１にてデジタル信号の音声データに変換し、フレーム処理部１７０でプリアンブル、シンクワード、ＣＲＣ等を付加し、双方向の通信スロットの送信スロットのタイミング合わせて、シンセ部１３０に出力し、音声データを送信するスロットの変調波を生成し、送信部１１０で規定出力に増幅し、送信される。
【００５４】
次に、コードレス電話親機２００の制御信号を受信できないときの無線ドアホン親機本体１００の動作について説明を行なう。
【００５５】
上述のように、コードレス電話親機２００の制御信号を受信可能な状況では、ドアホン親機は、コードレス電話親機２００の制御信号を受信しながら、コードレス電話親機２００の制御信号の受信タイミング（受信間隔）を元に、フレーム、スロットのタイミングの生成、および、無線通信用の高周波信号の生成の基準となる基準信号の発振周波数を調整しながら制御局としての動作を行なうが、コードレス電話親機２００の制御信号を受信できない状況では、コードレス電話親機２００と同様に、独自のタイミングでフレーム、スロットのタイミングを決定し、制御信号の送信、待ち受け、双方向の通信を行なう。即ち、制御部１８９は、コードレス電話親機２００の制御信号を探すための連続受信を起動した後、一定時間、コードレス電話親機２００の制御信号が受信できなかった場合、連続受信を停止し、独立モードで動作するようフレーム処理部１７０を制御し、これ以降、フレーム処理部１７０は、コードレス電話親機２００のフレーム処理部２７０と同様に、自らのタイミングでフレーム、スロットのタイミングを決定し、フレーム、スロットのタイミングを制御部１８９に通知するように動作を切替え、無線ドアホン親機本体１００は、フレーム処理部１７０で生成された独自のタイミングで、制御信号の送信、待ち受け、双方向の通信を行なう。
【００５６】
次に、兼用子機３００の動作について説明を行なう。
【００５７】
先ず、兼用子機３００が、無線ドアホン親機本体１００とコードレス電話親機２００の制御信号の送信タイミングに合わせて、受信を行なう時の動作について説明を行なう。
【００５８】
兼用子機３００は、無線ドアホン親機本体１００とコードレス電話親機２００の制御信号を受信する場合、先ず、コードレス電話親機２００の制御信号を連続受信で探し、コードレス電話親機２００の制御信号の受信タイミングに合わせて受信を行なうよう制御を切替え、続いて、コードレス電話親機２００の制御信号の受信を行なっていない区間において無線ドアホン親機本体１００の制御信号を探すために連続受信するよう制御を行ない、無線ドアホン親機本体１００の制御信号を見つけると、無線ドアホン親機本体１００とコードレス電話親機２００の制御信号の送信タイミングに合わせて、受信を行なう動作に移行する。
【００５９】
兼用子機３００の電源が投入され、制御部３８９が動作を開始すると、コードレス電話親機２００の制御信号を受信するため、制御部３８９は、シンセ部３３０をコードレス電話親機２００の制御信号を受信するための高周波信号を生成するよう設定し、受信部３２０を連続受信の状態にする。シンセ部３３０では設定された周波数の高周波信号を発振回路３４０から入力される基準信号元に生成するよう動作を行ない、受信部３２０では、シンセ部３３０より入力された高周波信号を用いて受信復調を行なうよう動作を開始する。コードレス電話親機２００の制御信号がアンテナ３０１より、受信部３２０に入力されると、受信した無線信号が、復調され、復調データ列がフレーム処理部３７０に出力される。フレーム処理部３７０は復調データ列より、シンクワードを検出し、受信データおよびＣＲＣを分離し、正常受信か否かを判定し、正常受信の場合は、受信データ（図４の送信データの部分）を制御部３８９に出力する。制御部３８９は、受信データに含まれる送信局の識別ＩＤを元に、受信データが待ち受けを行なうコードレス電話親機から送信された制御信号かを判定し、待ち受けを行なうコードレス電話親機から送信された制御信号であった場合、受信した制御信号のタイミングに合わせて、該当スロットでコードレス電話親機２００の受信を行なうよう制御を切り替える。
【００６０】
次に、兼用子機３００が、コードレス電話親機２００の制御信号の送信タイミングに合わせて、受信を行なう時の動作について説明を行なう。兼用子機３００は、発振回路３４０で生成された基準信号を元に計時される時間で、連続受信で受信されたコードレス電話親機２００の制御信号の受信タイミングを元に、次のコードレス電話親機２００の制御信号の送信タイミングを求め、以後、コードレス電話親機２００の制御信号の送信タイミング毎に受信を行なうよう制御を行なう。即ち、発振回路３４０で生成された基準信号を分周器３６０で分周し、１ビットのデータを受信する時間に等しいビットクロックを生成し、フレーム処理部３７０にて、発振回路３４０で生成されたビットクロックを用いて、前回受信したコードレス電話親機２００の制御信号のシンクワードの受信タイミングからの経過時間を測定し、制御信号の受信の準備タイミングの到来を制御部３８９に通知し、制御部３８９では、フレーム処理部３７０から通知されるコードレス電話親機２００の制御信号の受信の準備タイミングの到来のタイミングを元に、コードレス電話親機２００の制御信号の送信スロットのタイミングに合わせて該当スロットの受信を行なうため、シンセ部３３０をコードレス電話親機２００の制御信号を受信するための高周波信号を生成するように設定し、受信部３２０を起動する。シンセ部３３０では発振回路３４０から入力される基準信号元に設定された周波数の高周波信号を生成するよう動作を行ない、受信部３２０では、シンセ部３３０より入力された高周波信号を用いて受信復調を行なうよう動作を行なう。そして、受信部３２０にてコードレス電話親機２００の制御信号が受信され、復調データが、フレーム処理部３７０に出力される。フレーム処理部３７０では、受信部３２０から出力される復調データを、分周器３６０から出力されるビットクロックに同期して１ビットづつ読み込み、復調データからシンクワードに一致するデータ列を探し、シンクワードを検出すると、前回受信したシンクワードからの経過時間（ビット数、即ち、分周器３６０から出力されるビットクロックのクロック数）が、コードレス電話親機２００のフレーム周期（１フレームの総ビット数）と同じか、長い（多い）か、短い（少ない）かの受信周期のずれを制御部３８９に通知し、新たに受信したシンクワードの受信タイミングを元に次のコードレス電話親機２００の制御信号の受信の準備タイミングの到来の計時を開始する。
【００６１】
上述のようにしてコードレス電話親機２００の制御信号の送信タイミングに合わせて受信を行なうよう制御が切替えられた後、制御部３８９は、コードレス電話親機２００の制御信号の送信タイミングに合わせて受信を行なうよう制御を維持しながら、コードレス電話親機２００の制御信号の受信を行なう区間以外の区間で無線ドアホン親機本体１００の制御信号を受信するよう制御を開始する。即ち、無線ドアホン親機本体１００の制御信号を受信するため、コードレス電話親機２００の制御信号の受信を終了すると、制御部３８９は、シンセ部３３０を無線ドアホン親機本体１００の制御信号を受信するための高周波信号を生成するよう設定し、受信部３２０を受信状態にする。シンセ部３３０では発振回路３４０から入力される基準信号を元に設定された周波数の高周波信号を生成するよう動作を行ない、受信部３２０では、シンセ部３３０より入力された高周波信号を用いて受信復調を行なうよう動作を行なう。無線ドアホン親機本体１００の制御信号がアンテナ３０１より、受信部３２０に入力されると、受信した無線信号が、復調され、復調データ列がフレーム処理部３７０に出力される。フレーム処理部３７０は復調データ列より、シンクワードを検出し、受信データおよびＣＲＣを分離し、正常受信か否かを判定し、正常受信の場合は、受信データ（図４の送信データの部分）を制御部３８９に出力する。制御部３８９は、受信データに含まれる送信局の識別ＩＤを元に、受信データが待ち受けを行なう無線ドアホン親機本体１００から送信された制御信号かを判定し、待ち受けを行なう無線ドアホン親機本体１００から送信された制御信号であった場合、受信した制御信号のタイミングに合わせて、該当スロットで無線ドアホン親機本体１００の受信を行なうよう制御を切り替える。
【００６２】
次に、兼用子機３００が、無線ドアホン親機本体１００とコードレス電話親機２００の制御信号の送信タイミングに合わせて、受信を行なう時の動作について説明を行なう。
【００６３】
上述のごとくして、コードレス電話親機２００の制御信号の送信タイミングに合わせてコードレス電話親機２００の制御信号を受信しながら、無線ドアホン親機本体１００が送信する制御信号を受信すると、兼用子機３００は、発振回路３４０で生成された基準信号を元に計時される時間で、受信された無線ドアホン親機本体１００とコードレス電話親機２００の制御信号の受信タイミングを元に、次の無線ドアホン親機本体１００とコードレス電話親機２００の制御信号の送信タイミングを求め、以後、無線ドアホン親機本体１００とコードレス電話親機２００の制御信号の送信タイミング毎に受信を行なうよう制御を行なう。即ち、発振回路３４０で生成された基準信号を分周器３６０で分周し、１ビットのデータを受信する時間に等しいビットクロックを生成し、フレーム処理部３７０にて、発振回路３４０で生成されたビットクロックを用いて、前回受信した無線ドアホン親機本体１００とコードレス電話親機２００の制御信号のシンクワードの受信タイミングからの経過時間を測定し、無線ドアホン親機本体１００又はコードレス電話親機２００の制御信号の受信の準備タイミングが到来すると、無線ドアホン親機本体１００又はコードレス電話親機２００の制御信号の受信の準備タイミングが到来したことを制御部３８９に通知し、制御部３８９では、フレーム処理部３７０から通知される無線ドアホン親機本体１００又はコードレス電話親機２００の制御信号の受信の準備タイミングの到来のタイミングを元に、制御信号の送信スロットのタイミングに合わせて該当スロットの受信を行なうため、無線ドアホン親機本体１００の制御信号の受信の準備タイミングの到来を通知された場合は、シンセ部３３０を無線ドアホン親機本体１００の制御信号を受信するための高周波信号を生成するように設定し、コードレス電話親機２００の制御信号の受信の準備タイミングの到来を通知された場合は、シンセ部３３０をコードレス電話親機２００の制御信号を受信するための高周波信号を生成するように設定し、受信部３２０を起動する。そして、シンセ部３３０では発振回路３４０から入力される基準信号元に設定された周波数の高周波信号を生成するよう動作を行ない、受信部３２０では、シンセ部３３０より入力された高周波信号を用いて受信復調を行なうよう動作を行なう。そして、受信部３２０にてシンセ部３３０の設定に従い、無線ドアホン親機本体１００、又は、コードレス電話親機２００の制御信号が受信され、復調データが、フレーム処理部３７０に出力される。フレーム処理部３７０では、受信部３２０から出力される復調データを、分周器３６０から出力されるビットクロックに同期して１ビットづつ読み込み、復調データからシンクワードに一致するデータ列を探し、シンクワードを検出すると、コードレス電話親機２００の制御信号の受信時は、前回受信したシンクワードからの経過時間（ビット数、即ち、分周器３６０から出力されるビットクロックのクロック数）が、コードレス電話親機２００のフレーム周期（１フレームの総ビット数）と同じか、長い（多い）か、短い（少ない）かの受信周期のずれを制御部３８９に通知し、新たに受信したコードレス電話親機２００のシンクワードの受信タイミングを元に次のコードレス電話親機２００の制御信号の受信の準備タイミングの到来の計時を開始し、無線ドアホン親機本体１００の制御信号の受信時は、前回受信した無線ドアホン親機本体１００のシンクワードからの経過時間（ビット数、即ち、分周器３６０から出力されるビットクロックのクロック数）が、無線ドアホン親機本体１００のフレーム周期（１フレームの総ビット数）と同じか、長い（多い）か、短い（少ない）かの受信周期のずれを制御部３８９に通知し、新たに受信したシンクワードの受信タイミングを元に次の無線ドアホン親機本体１００の制御信号の受信の準備タイミングの到来の計時を開始する。
【００６４】
次に、兼用子機３００が無線ドアホン親機本体１００とコードレス電話親機２００の制御信号を受信している時の、発振周波数調整の動作について説明を行なう。
【００６５】
上述のように、兼用子機３００のフレーム処理３７０は、無線ドアホン親機本体１００とコードレス電話親機２００の制御信号を受信する毎に、受信タイミングのずれ、即ち、それぞれの制御信号受信時のシンクワード検出時のビット位置（前回受信からのビット数）のずれを制御部３８９に出力している。そして、制御部３８９は、フレーム処理部３７０より、コードレス電話親機２００とのずれを通知される毎に、ずれを補正するよう発振周波数調整部３５０を調整する。即ち、制御部３８９は、フレーム処理部３７０よりコードレス電話親機２００の受信周期のずれが通知されると、フレーム処理部３７０で計時されたコードレス電話親機２００の制御信号のシンクワードの検出周期が、コードレス電話親機２００の規定のフレーム周期（１フレームの総ビット数）より長かった（多かった）場合、発振回路３４０で生成される基準信号の周波数を小さくするよう発振周波数調整部３５０を制御し、短かった（少なかった）場合、発振回路３４０で生成される基準信号の周波数を大きくするよう発振周波数調整部３５０を制御する。
【００６６】
又、待ち受け状態において、使用者の設定により無線ドアホン親機本体１００のみ待ち受けるよう設定されている場合等、兼用子機３００が無線ドアホン親機本体１００の制御信号のみを受信している状態では、コードレス電話親機２００の制御信号の受信タイミングを元に発振周波数の補正を行う代わりに、無線ドアホン親機本体１００の制御信号の受信タイミングに応じて発振周波数調整を行なう。
【００６７】
又、上記発振周波数調整の動作は、後述する無線ドアホン親機本体１００又はコードレス電話親機２００との双方向の通信中状態においても実施され、兼用子機３００が無線ドアホン親機本体１００との双方向の通信中の場合、無線ドアホン親機本体１００との双方向の通信スロットの受信スロットの受信タイミングに応じて発振周波数調整を行ない、コードレス電話親機２００との双方向の通信中の場合、コードレス電話親機２００との双方向の通信スロットの受信スロットの受信タイミングに応じて発振周波数調整を行なう。
【００６８】
又、兼用子機３００が無線ドアホン親機本体１００との双方向を行いながら、コードレス電話親機２００の制御信号を受信できる場合、上記、待ち受け状態と同様にコードレス電話親機２００の制御信号の受信タイミングに応じて発振周波数調整を行なう。
【００６９】
尚、兼用子機３００のシンセ部３３０、発振回路３４０、発振周波数調整部３５０の構成は、上述の無線ドアホン親機本体１００のシンセ部１３０、発振回路１４０、発振周波数調整部１５０と同様であり、兼用子機３００における発振回路３００で生成される基準信号の周波数の調整方法の説明は省略する。
【００７０】
図６は、本発明の無線通信システムの待ち受け状態の動作の説明図である。
【００７１】
次に、図６を用いて、待ち受け状態におけるコードレス電話親機２００の制御信号の送信、無線ドアホン親機本体１００の制御信号の送受信、兼用子機３００の送受信の状態について説明を行う。
【００７２】
図６に示すよう、コードレス電話親機１００は、待ち受け状態において定期的に制御信号の送信を行う（図６、コードレス電話親機の斜線の四角）。ドアホン親機２００は、コードレス電話親機１００の送信タイミングに合わせて受信を行い（図６、ドアホン親機の斜線の四角）、コードレス電話親機１００の受信を行っていない区間で、制御信号の送信を行う（図６、ドアホン親機の黒塗りの四角）。兼用子機３００は、コードレス電話親機１００の送信タイミングに合わせて受信を行い（図６、兼用子機の斜線の四角）、又、ドアホン親機２００の送信タイミングに合わせて受信を行う（図６、兼用子機の黒塗りの四角）。
【００７３】
図６の状態にある時、ドアホン親機２００は、コードレス電話１００から送信されたの制御信号の受信間隔に応じて、無線信号の送受信のための基準信号の発振周波数を調整することにより、通信周波数誤差によるコードレス電話親機の制御信号の受信劣化を低減すると同時に、自らが送信する制御信号の通信周波数の誤差精度をコードレス電話親機１００が送信する制御信号の通信周波数の誤差精度に合わせ、制御信号の送信を行う。又、兼用子機は、コードレス電話１００から送信されたの制御信号の受信間隔に応じて、無線信号の送受信のための基準信号の発振周波数を調整する。兼用子機３００は、コードレス電話１００から送信される制御信号の受信タイミングをもとに無線信号の送受信のための基準信号の発振周波数を調整することにより、通信周波数誤差によるコードレス電話親機の制御信号の受信劣化を低減する。又、ドアホン親機がコードレス電話親機通信周波数の誤差精度に合わせ、制御信号の送信を行うので、結果として、兼用子機が、ドアホン親機の制御制御信号を受信する際の、通信周波数誤差による受信劣化を低減することができる。又、兼用子機３００からコードレス電話親機、又は、ドアホン親機に無線信号を送信する場合、兼用子機３００が生成する無線の送信信号は、コードレス電話親機１００が送信する制御信号の通信周波数の誤差精度に合わせ調整された基準信号を用いて生成するので、コードレス電話親機、又は、ドアホン親機側での受信において、通信周波数誤差による受信劣化を低減することができる。
【００７４】
以上のように、本発明の無線通信システムによれば、基準となる１つの制御局の制御信号の通信周波数の精度に、他の制御局、および、従属局の通信周波数の精度を調整するので、各無線通信システムに高精度の発振回路を必要とせず、低価格の無線通信システムの提供が可能となる。
【００７５】
又、無線通信システムの通信周波数の調整方法は、通信状態において自動で通信周波数の精度を調整するので、無線通信システムの製造時の通信周波数の調整が不用となり、生産性が向上し、製造コストの低減が図れ、低価格の無線通信システムの提供が可能となる。
【００７６】
又、第２の制御局は、第１の制御局が受信できない時、自己のタイミングで制御信号を送信し、従属局は第２の制御局のみが受信される場合、第２の制御局から送信される制御信号の受信タイミングをもとに通信周波数の調整を行うので、第１の制御局がない場合でも、第１の制御局がある場合と同様に通信周波数誤差による受信劣化を低減することができ、故障などの理由により第１の制御局が動作しなくなっても性能劣化が発生しない。
【００７７】
以上、本発明の実施の形態について説明してきたが、本発明は前記実施の形態に限定されるものではなく、本実施の形態では第１の制御局としてコードレス電話親機、第２の制御局として１台のドアホン親機、従属局として１台の兼用子機の例を用いて説明を行ったが、第２の制御局、および、従属局の台数は複数でもよい。又、本発明の無線通信システムは、コードレス電話や無線ドアホン以外の無線ＬＡＮ等の無線通信システムに広く応用が可能である。又、コードレス電話親機を複数設置するような同一の無線設備を複数設置する場合に於いても、本発明は利用可能である。又、従属局は、必ずしも、複数の制御局と通信化能である必要はなく、各制御局のいずれか１つにのみ接続可能であっても良い。
【産業上の利用可能性】
【００７８】
本発明は、簡単な回路構成、および、調整法方により複数の制御局、従属局が自動で通信周波数のずれを調整し、通信品質の劣化を抑えることができ、制御局と従局とが時分割多重で通信を行う無線通信システムに好適である。
【図面の簡単な説明】
【００７９】
【図１】本発明のドアホン親機のブロック図
【図２】本発明のコードレス電話親機のブロック図
【図３】本発明の兼用子機のブロック図
【図４】本発明の時分割多重のフレームスロットの説明図
【図５】本発明の発振周波数調整部のブロック図
【図６】本発明の無線通信システムの待ち受け状態の動作の説明図
【符号の説明】
【００８０】
１００    無線ドアホン親機本体
１０１    アンテナ
１１０    送信部
１２０    受信部
１３０    シンセ部
１４０    発振回路
１５０    発振周波数調整部
１６０    分周器
１７０    フレーム処理部
１８０    画像処理部
１８１    音声処理部
１８２    玄関子機インターフェース
１８９    制御部
１９０    玄関子機
１９１    親機インターフェース
１９２    カメラ部
１９３    マイク
１９４    スピーカー
１９５    操作部
【図１】
0004682719.tif 000002
【図２】
0004682719.tif 000003
【図３】
0004682719.tif 000004
【図４】
0004682719.tif 000005
【図５】
0004682719.tif 000006
【図６】
0004682719.tif 000007